(57)【要約】【課題】本発明は、簡単な施工で、求められる浄化回路が容易に確保できるパッケージ型浄化装置を提供する。【解決手段】本発明のパッケージ型浄化装置は、浄化回路Ｕを構成するプレフィルタ装置３０、除菌装置５０および膜式ろ過装置７０が設置された架台１０と、浄化回路Ｕの各装置が収納されるように架台１０に組み付いて、原水流入口部４０と処理水出口部７９を有する浄化ユニットＵを構成するカバー２０とを用いて、浄化装置１を１つの製品にパッケージ化した。【選択図】      図４
2007014840.tif 000002
【特許請求の範囲】
【請求項１】
浄化回路を構成するプレフィルタ装置、除菌装置および膜式ろ過装置が設置された架台と、
前記浄化回路の各装置が収容されるように前記架台に組み付き、原水流入口部と処理水出口部を有する浄化ユニットを構成するカバーと
を具備してなることを特徴とするパッケージ型浄化装置。
【請求項２】
前記架台は、底部と背壁部とを有し、前面、左右両側面および上面が開放した架台部材で形成され、
前記カバーは、前記架台部材の前記開放した部分を着脱可能に覆うカバー部材で形成される
ことを特徴とする請求項１に記載のパッケージ型浄化装置。
【請求項３】
前記浄化回路は、前記プレフィルタ装置の二次側に前記除菌装置が設けられ、該除菌装置の二次側に前記膜式ろ過装置が設けられることを特徴とする請求項１に記載のパッケージ型浄化装置。
【請求項４】
前記プレフィルタ装置の二次側には、さらに同部分から分岐してなる中間処理水出口部を有していることを特徴とする請求項３に記載に記載のパッケージ型浄化装置。
【請求項５】
前記プレフィルタ装置の二次側は、逆流防止用の逆止弁を有し、
前記逆止弁を挟む上・下流部間には、手動操作で前記原水流入口部から原水を取り入れるための手動操作ポンプが設けられる
ことを特徴とする請求項１、請求項３または請求項４に記載のパッケージ型浄化装置。
【請求項６】
前記架台の底部、背壁部は、前記浄化回路の各装置が段をなして立体的に設置されることを特長とする請求項２に記載のパッケージ型浄化装置。
【請求項７】
前記カバーは、内部機器の運転状態を確認するための窓部を有することを特徴とする請求項１に記載のパッケージ型浄化装置。
【発明の詳細な説明】
【技術分野】
【０００１】
本発明は、生活用水の確保に用いられるパッケージ型浄化装置に関する。
【背景技術】
【０００２】
現在、地震、水害、台風等の災害時における、被災者や避難者に対する飲料水を確保する浄化装置として、学校のプールや貯水槽を水源とした水を飲料水に適した水質にまで浄化する装置がある。
【０００３】
このような災害に用いられる浄化装置には可搬式が用いられている。可搬式の浄化装置には、可搬が可能な取水ポンプと、可搬が可能な水質を高めるための各種の浄化機器といった機能別の機器を現場で組立てる構造が用いられる。平時は、各機器は防火倉庫などで保管されていて、災害時のときには、これら機器を保管場所から搬出して、プールの有る学校や貯水槽の有る施設へ運び入れ、プールや貯水槽など水源の周辺へ据え付ける。その後、各機器の接続やホース類の接続を行なって浄化回路を組立ててから、取水ポンプや各種浄化機器を作動することにより、プールや貯水槽など水源水が飲料水として供される。
【発明の開示】
【発明が解決しようとする課題】
【０００４】
ところで、近年、各戸の井戸水は、水質の悪化が懸念されるために、飲料水として使用せずに、普段は、散水、洗浄水等の雑用用水として使用する傾向にある。そのため、災害時の井戸水の利用が注目されている。
【０００５】
この場合、上記可搬式の浄化装置を用いて、井戸水を浄化することになる。
【０００６】
しかし、井戸が有る場所は、建物の庭先など作業スペースの確保が困難な場所が多いので、可搬式の浄化装置の場合、保管されていた各種の浄化機器を井戸の周辺に運び入れて所要の地点に据付けてから、現場で各機器を接続して、所定の浄化回路を確保するまでの準備に、かなりの労力と時間とを費やす問題がある。特に電動式の井戸用ポンプが井戸に組付けられている場合（井戸水を雑用用水として使用）には、専用の取水ポンプを使用するか、既設の井戸用ポンプを利用するかの作業も加わるので、かなり浄水装置の据付けが面倒になりやすい。
【０００７】
そこで、本発明の目的は、簡単な施工で、求められる浄化回路が容易に確保できるパッケージ型浄化装置を提供する。
【課題を解決するための手段】
【０００８】
請求項１に記載の発明は、上記目的を達成するために、浄化回路を構成するプレフィルタ装置、除菌装置および膜式ろ過装置が設置された架台と、浄化回路の各装置が収容されるように架台に組み付いて、原水流入口部と処理水出口部を有する浄化ユニットを構成するカバーとを用いて、浄化装置を１つの製品にパッケージ化した。
【０００９】
請求項２に記載の発明は、上記目的に加え、広いスペースで内部機器のメンテナンスや操作などが行なえるよう、架台には、底部と背壁部とを有し、前面、左右両側面および上面が開放した架台部材で形成し、カバーには、架台部材の開放した部分を着脱可能に覆うカバー部材で形成した。
【００１０】
請求項３に記載の発明は、上記目的に加え、優れた水質が確保されるよう、浄化回路には、プレフィルタ装置の二次側に除菌装置を設け、該除菌装置の二次側に膜式ろ過装置を設けた回路を用いた。
【００１１】
請求項４に記載の発明は、上記目的に加え、さらに雑用用水の使用が行なえるよう、プレフィルタ装置の二次側には、同部分から分岐してなる中間処理水出口部を設けた。
【００１２】
請求項５に記載の発明は、上記目的に加え、さらに停電など取水ポンプによる取水が期待できないときにも対応できるよう、プレフィルタ装置の二次側に設けた逆流防止用の逆止弁を挟む上・下流部間に、手動操作で原水流入口部から原水を取り入れる手動操作ポンプを設けた。
【００１３】
請求項６に記載の発明は、上記目的に加え、浄化装置のコンパクト化を図るために、架台の底部壁、背壁部に、浄化回路の各装置が段をなして立体的に設置される構成とした。
【００１４】
請求項７に記載の発明は、上記目的に加え、内部機器が正常に作動しているかを確認するために、カバーに、内部機器の運転状態を確認する窓部を設けた。
【発明の効果】
【００１５】
請求項１に記載の発明によれば、水質の悪化した水源水を飲料水として利用するときは、パッケージ型浄化装置を水源の周辺に設置するという、簡単な施工で、必要な浄化回路のほとんどが確保できる。
【００１６】
したがって、あとは、取水ポンプや給水配管部を出入口に接続するなど簡単な準備を行なうだけで、容易に飲料水が確保できる。特に浄水回路の主要部は、既にパッケージ化してあるので、井戸など作業スペースの確保が難しい場所の据付けには有効である。しかも、例えば井戸の周辺に既に電動式井戸ポンプが据え付けてあるような場合、井戸の周辺にパッケージ型浄化装置を常設しておけば、災害時、直ちに飲料水が確保できる利点がある。
【００１７】
請求項２に記載の発明によれば、カバー部材を取外せば、浄化装置は、前面、左右側面および上面が開放された状態となるので、プレフィルタ装置、除菌装置および膜式ろ過装置といった内部機器は、広いスペースのもとで、除菌装置の薬液投入など各種メンテナンス作業や各種操作が容易にできる。
【００１８】
請求項３に記載の発明によれば、たとえ膜式ろ過装置の内部に処理水が滞留することがあっても、滞留した処理水は除菌処理された水なので、衛生上、優れた出水が約束できる。
【００１９】
請求項４に記載の発明によれば、雑用用水の設備もあるので、新たに雑用用水の設備を施工する場合、簡単である。
【００２０】
請求項５に記載の発明によれば、例えば停電時や故障などで取水ポンプの運転が期待できないような場合、手動操作ポンプを手動操作することによって、応急的に必要な飲料水を得ることができる。
【００２１】
請求項６に記載の発明によれば、据付面積の小さな浄化装置が確保でき、据付性に優れた浄化装置が得られる。
【００２２】
請求項７に記載の発明によれば、外部から窓部を通して内部を観察するだけで、容易に内部機器が正常に作動しているかが確認できる。
【発明を実施するための最良の形態】
【００２３】
［第１の実施形態］
以下、本発明を図１〜図７に示す第１の実施形態にもとづいて説明する。
【００２４】
図１は、浄化装置１を用いて、水質の悪化が見られる井戸２の水を飲料水として利用可能にしている状態を示している。特に図１は、例えば建物の庭先などに有る井戸２の周辺に、既に取水ポンプとして電動式の井戸ポンプ３が据え付けてある場合を示している（既に井戸水を雑用水として利用している場合）。なお、井戸ポンプ３の吸込部３ａには、井戸２内へ挿入される吸込管４が配管され、吐出部３ｂには吐出管５が配管されてある。但し、６は井戸ポンプ２の吸込側に設けた開閉弁、７は同じく吐出側に設けた逆止弁、８は同逆止弁７の下流に設けた開閉弁を示す。
【００２５】
浄化装置１には、例えば金属製（ステンレス製など）や合成樹脂製の収容ケース９を用いて、各種機器を１つにパッケージしたパッケージ型が用いられる。このパッケージ型の浄化装置１が、井戸２の周辺に常設されている。
【００２６】
このパッケージ型浄化装置１を開けたときの状態が図２に示され、パッケージ型浄化装置１の各部の構造が図３〜図７に示されている。
【００２７】
このパッケージ型浄化装置１の構造について説明すると、図１および図２に示されるように収容ケース９には、機器設置用の架台１０と、同架台１０に取付く屋外カバー２０（本願のカバーに相当）とを組合せた構造が用いられている。
【００２８】
このうち架台１０は、例えば図２に示されるように上方向へ延びる長方形状の背壁部１１と、該背壁部１１の下部から前方へ張り出す左右方向（幅方向）へ延びる長方形状の底壁部１５（本願の底部に相当）とを有する架台部材から構成されている。具体的には、背壁部１１は、図２、図３および図５に示されるように例えば上方へ延びる長方形状の背面壁１２と、同背面壁１２の上縁部および左右方向（幅方向）両側の側縁部といった三方向の縁部から立ち上がるフランジ１３とを有して構成される。底壁部１５は、背面壁１１の下端から前方へ張り出す左右方向に延びる長方形状の底壁１６と、同底壁１６の前縁部および左右方向（幅方向）両側縁部といった三方向の縁部から立ち上がるフランジ１７とを有して構成されている。つまり、架台１０は、前面、左右両側面および上面が開放した架台部材で形成される。なお、フランジ１３とフランジ１７とは互いに連なっている。そして、架台１０のうち、底壁１６の上面と背面壁１２の壁面とをそれぞれ機器設置用の箇所としてある。また底壁部１５の左右両側には、例えば一対の脚プレート１９（脚部）が設けられている。この脚プレート１９により、図３〜図５に示されるように架台１０を、底壁１６が地面（据付面）から、若干、浮いた状態（底壁１６が地面から離れた状態）で、井戸２の周辺の据付場所（例えば地面）に設置させている。
【００２９】
屋外カバー２０は、架台１０の開放した前面、左右両側面および上面の各方向を覆う壁部をもつ。具体的には、図１および図２に示されるように屋外カバー２０は、架台１０の前方側のフランジ部分１７ａに重なり合う前面壁２１、架台１０の左右両側のフランジ部分１３ｂ，１７ｂに重なり合う両側面壁２２、架台１０の上部のフランジ部分１３ｃに重なり合う上面壁２３を組合せて構成してある。そして、各壁２１〜２３で、開放した架台１０の各部分（前面、左右両側面、上面）を塞いでいる。この開放部分を塞ぐように組合わさる架台１０と屋外カバー２０により、図１に示されるような箱形の収容ケース９を構成している。また例えば屋外カバー２０の上面壁２３と、これと重なるフランジ部分１３ｃとは、締結具、例えばアイボルト２４（装置を運搬する吊り具を兼用）で着脱可能に締結され、屋外カバー２０を架台１０に対し着脱可能に組付けている。
【００３０】
こうした収容ケース９内には、各種浄化機器、例えばプレフィルタ装置としての浄水器３０、除菌処理（殺菌や滅菌などを含む）を施す除菌器５０（本願の除菌装置に相当）、微細な色度成分や有機物や除菌を免れた細菌等を除去する膜式ろ過装置としてのマイクロろ過装置７０が一緒に収められている。この他、収納ケース９内には、緊急時使用の手動操作ポンプとして、例えば手押しポンプ装置９０も一緒に収められている。その機器や装置のレイアウトとしては、収納ケース９内部に立体的に納める構造が用いられている。具体的には、例えば図３〜図７に示されるように架台１０の底壁１６の右側（正面から見て）に浄水器３０を据付け、同じく左側に手押しポンプ装置９０を据付け、架台１０の背面壁１２の上段の右側に除菌器５０を据付け、同じく左側にマイクロろ過装置７０を据付ける手法が用いてある。つまり、複数種の機器や装置は、できるだけ据付面積（底面積）が小さくなるよう、収容ケース９に収めてある。
【００３１】
これら内部機器のうち、底壁１６に設置された浄水器３０は、例えば図４〜図７に示されるようにベース３１とケーシング３２とを組合せて構成される本体部３３、ケーシング３２内に交換自在に収めた、ろ材、例えば不織布フィルタ３５や活性炭フィルタ３６、原水をろ材へ導くためのベース３１の右側部に有る流入口３７と、このろ材を通過した流体を外部へ導くためのベース３１の左側部に有る流出口３８とを有して構成される。流入部３７には、接続具として例えばフランジ部材３９が接続されている。フランジ部材３９の入口は、架台１０の右側のフランジ部分１７ａに形成された差込口部４０に臨ませてある。これで、収容ケース９の右側部の下側に原水流入口部４１を形成している。なお、浄水器３０の一次側には逆流防止用の逆止弁４２が組込んである。この原水流入口部４１に対して、既に井戸２の周辺に据付けてある井戸ポンプ３から延びる吐出管５が接続される（図１）。これにより、井戸ポンプ３から圧送される井戸水（原水）に含まれるごみなどの有機物や濁度成分が、不織布フィルタ３５、活性炭フィルタ３６を通過する間に除去されるようにしてある。
【００３２】
除菌器５０は、例えば図４ないし図６に示されるように除菌用の薬液（例えば次亜塩素酸ナトリウムなど）が貯留された薬液タンク５２に、注入モジュール５１、例えばダイヤフラムポンプで形成された薬液注入ポンプ５３および電装部５４などを組合せた構造が用いられている。この除菌器５０の薬液タンク５２は、例えば背面壁１２の内面から突き出たブラケット（据付部を形成）、具体的には一対のアーム状のブラケット１８に載せて固定してある。これで、除菌器５０を架台１０の上段に設置させている。
【００３３】
この除菌器５０の各部を説明すると、注入モジュール５１は、例えば、一端部に流入口部５５を有し、他端部に流出口部５６を有したパイプ状部材５７に、上流側から順に流量センサ５８、薬液注入部５９を組み付けて構成される。そして、パイプ状部材５７の流入口部５５が、例えばエルボ６０、ホース部材６１を介して、図３、図４および図７に示されるように除菌器５０とは反対側となる底壁１６の左側部に設置してあるヘッダ状の中継配管部６２に接続してある。具体的には、例えば、中継配管部６２は、架台１０の奥行き方向に延びた直線状の通路で形成されていて、同通路の奥行き側の端部に、ティー６３、ハンドル付きの飲用水用の開閉弁６４（例えばボール弁）を介して、ホース部材６１端が接続してある。中継配管部６２の正面側の端部は、浄水器３０へ向って配管された、例えばティー６５、逆止弁６６ａおよびパイプ部材６６を介して、浄水器３０の流出口３８に接続してある。これで、浄水器５０を通過した処理水がパイプ状部材５７へ導かれるようにしている。なお、浄水器３０の二次側に設けた逆止弁６６ａは、除菌器５０から浄水器３０への逆流を防ぐためのものである（逆流防止用）。
【００３４】
薬液注入ポンプ５３は、図４、図５および図６に示されるように薬液タンク５２の正面下部に収まるように組付けてある。そして、同ポンプ５３の吸込部５３ａが、ホース部材６５ａを介して、薬液タンク５２の出口部６２ａに接続される。また薬液注入ポンプ５３の吐出部５３ｂは、ホース部材６６ａ（図４のみ図示）を介して、注入モジュール５１の薬液注入部５９に接続されていて、薬液注入ポンプ５３の運転により、薬液タンク５２内の薬液が、浄水器３０から流出する処理水に対して注入されるようにしている。
【００３５】
電装部５４は、例えば薬液タンク５２の正面（屋外カバー２０の前面壁２１と向き合う面）に実装された電装箱６７から構成される。この電装箱６７内には制御基板（図示しない）が内蔵されている。そして、同制御基板に搭載される制御回路（図示しない）により、流量センサ５８で検出される処理水の流量に応じて薬液注入ポンプ５３の運転を制御し、適正に薬液が処理水に注入されるようにしている。また電装箱６７の前面には、注入量を可変したり、除菌器５０をオンオフしたりするなどの操作を行なう操作パネル６８（図４のみ図示）が設けられている。この薬液の注入により、処理水に含まれる一般細菌などが殺菌されるようにしている。
【００３６】
マイクロろ過装置７０は、図３、図４および図６に示されるように縦置きされる縦長のフィルタハウジング７１内に、膜モジュールとして精密ろ過膜、例えばＭＦフィルタ（例えば０．１μ程度のポリプロピレン製精密中空糸膜）７２を封入させた構造が用いられる。フィルタハウジング７１は、例えば有底の縦形のケース７３と、同ケース７３の開口部に脱着自在に取り付けられたキャップ７４とを有して構成される。このうちのキャップ７４が、例えば背面壁１２の内面から突き出たブラケット（据付部を形成）、具体的には平板状のブラケット７５に固定させてある。ＭＦフィルタ７２は、このキャップ７４で支持されるケース７３内に内蔵させてある。キャップ７４の左右両側の一方、例えば右側部には流入口部７７が形成され、左側部には流出口部７８が形成されている。流出口部７８には、接続具として例えばニップル部材７８ａが接続され、ニップル部材７８ａの入口を、屋外カバー２０の左側の側面壁２２に形成された切欠き部２０ａ（図２に図示）に臨ませている。これで、収容ケース９の左側部の上段に処理水出口部７９を形成している。なお、キャップ７４に形成してある通水中の空気を抜くドレン孔７４ａ（図６だけに図示）は、ブラケット７５に形成した通孔８０（図６だけに図示）に開口してある。流入口部７７は、図６に示されるように例えばエルボ８１、ホース部材８２およびエルボ８３を介して、除菌器５０の流出口部５６に接続されている。この最終段に配置されたマイロクロろ過器７０によって、除菌処理を終えた処理水に含まれる微少な色度成分や有機物が取り除かれるようにしている。そして、処理水出口部７９に対し、蛇口につながる給水配管Ｘ（図４、図６中に二点鎖線で図示）が接続され、飲料に適した水質の処理水が給水配管へ導けるようにしている。
【００３７】
また図７に示されるように浄水器３０の二次側（逆止弁６６ａより下流側）となる、中継配管部６２の正面側の端部は、末端に接続したティー６５により、浄水器３０へ向う経路とは分かれて、正面に向う分岐部が形成されている。この分岐部には、ハンドル付きの雑用水用の開閉弁８５（例えばボール弁）が接続されている。この分岐により、開閉弁８５から、浄水器３０でしか処理していない処理水、すなわち飲料には適さないが、雑用には利用できる水質（中間水質）の処理水が流出できるようにしてある。開閉弁８５の出口は、架台１０の前面壁２１に形成した差込口部８６（図１および図３に図示）に臨ませてある。これにより、収容ケース９の正面下側に雑用水出口部８７（本願の中間処理水出口部に相当）を形成している。この雑用水出口部８７に、雑用水配管Ｙ（図７に二点鎖線で図示）が接続されることで、原水が雑用水としても利用できるようにしている。
【００３８】
手押しポンプ装置９０は、図３、図４および図７に示されるように浄水器３０の二次側の逆止弁６６ａをバイパスさせるように組付けてある。すなわち、手押しポンプ装置９０は、例えば底部に吸込部９１を有し、上段側部に吐出部９２を有する縦長のピストン式のポンプ部９３と、同ポンプ部９３を手押し操作する操作レバー９４とを有して構成される。一方、逆止弁６６ａを挟んだ上流側、例えばパイプ部材６６の途中には、上部へ立ち上がるように分岐するティー９５が組込まれている。手押しポンプ装置９０は、このティー９５の分岐した端部に、吸込部９１を接続することによって、縦形に据え付けてある。手押しポンプ装置９０の残る吐出部９２は、逆止弁６６ａを挟んだ下流側、例えば図７に示されるように中継配管部６２の奥行き側の端部から分岐した部分、具体的にはティー６３の末端にエルボ９６を接続することによって形成された分岐部に、ホース部材９８を介して、接続してある。この手押しポンプ装置９０の設置により、停電・故障など井戸ポンプ３による取水が期待できないときは、手押しポンプ装置９０の操作レバー９４を繰り返し押し操作することにより、浄水器３０の二次側の逆止弁６６ａを、そのまま、切換え用弁に代用して、原水流入口部４１から、原水（井戸水）が取り入れられるようにしている（飲料水、雑用水の場合共）。
【００３９】
浄化装置１は、こうした架台１０の浄水器３０、除菌器５０、マイクロろ過装置７０、手押しポンプ装置９０の組合せによって、原水から飲料や雑用水に適した水質までに浄化する機能、さらには手動操作でも原水の取水を可能とした機能をもつ浄化回路１００を形成している。そして、浄化装置１は、架台１０と屋外カバー２０との組合せにより、左右両側に原水流入口部４１、処理水出口部７９をもち、前方側に雑用水出口部８７をもつ、浄化ユニットＵを構築させている。これで、主要部を１つの製品にパッケージ化させている。
【００４０】
また屋外カバー２０の一部、例えば除菌器５０の操作パネル６８と向き合う前面壁２１部分には、透視窓１０１（本願の窓部に相当）が形成されていて、外部から、透視窓１０１を通じて、内部機器である除菌器５０の運転状態の確認が行なえるようにしている。
【００４１】
但し、架台１０の底壁１６には、例えば内部機器のメンテナンスの際、架台１０上に落ちた水を外部に導出するためのドレン孔１０２が形成してある（図７にのみ図示）。図中１０３は、屋外カバー２０の左右両側に設けた取手、１０４は屋外カバー２０に設けた換気用のガラリ（図４のみ図示）を示す。
【００４２】
なお、図示はしないが、停電に備えて、例えば浄水装置１の近くには、井戸ポンプ１や除菌器５０に電力を供給するための非常用電源、例えばエンジン駆動式発電機を設置しておくことが望ましい。
【００４３】
つぎに、このように構成されたパッケージ型浄化装置１の作用について説明する。
【００４４】
同浄化装置１は、水質の悪化した水源水を飲料水として利用するために、水源、ここでは井戸２の周辺に常設して利用するものである。
【００４５】
このときの浄化装置１の据付けとしては、図１に示されるように浄化装置１を井戸２の周辺に運び入れて、適切な据付場所に据付ける。
【００４６】
ここで、浄化装置１は、予め飲料水に適した水質にする浄化回路１００がパッケージ化されているから、単純に浄化装置１の収容ケース９を据付場所に設置さえすれば、主要部の据付けを終える。
【００４７】
その後、図１に示されるように井戸ポンプ３から延びる吐出管５を浄水器３０の入口（ニップル部材３９）に接続したり、蛇口（図示しない）につながる給水配管Ｘをマイクロろ過器７０の流出口部７８（ニップル部材７８ａ）に接続したり、既設の雑用水配管Ｙを開閉弁８５の出口に接続したりすることにより、井戸水を飲用水や雑用水として利用するための準備作業が整う。
【００４８】
つまり、パッケージ型の浄化装置１は、井戸２の周辺に設置するという簡単な施工で、求められる浄化回路１００のほとんどが確保できる。
【００４９】
したがって、パッケージ型浄化装置１を用いると、あとはポンプや配管部を出入口に接続するなど簡単な準備を行なうだけで、容易に飲料水の確保ができる。しかも、浄水回路１００の主要部は、既にパッケージ化してあるから、部品間を接続するような手間は不要で、井戸周辺など作業スペースの確保が難しい場所でも容易に据付けることができる。特にパッケージ型浄化装置１には、内部機器を立体的に設置する構造が用いてあるので、据付面積は小さく抑えられ、井戸周辺のような制約の大きい場所でも、容易に据付けることができる。
【００５０】
一方、このように据付けたパッケージ型浄化装置１を用いて、普段のように井戸２の水（水源水）を散水、洗浄水など雑用用水として使用するときを説明する。
【００５１】
ここで、当初から浄化装置１の開閉弁６４（飲用水用）は常閉、開閉弁８５（雑用水用）は常開に設定してある。
【００５２】
このため、井戸２の水を散水や洗浄水として利用するときは、既設の井戸ポンプ３を運転するだけでよい。すなわち、井戸ポンプ３から汲み上げられた井戸水は、浄水器３０を通過する間に、浄水器３０のろ材（不織布フィルタ３５、活性炭フィルタ３６）により、井戸水に含まれるごみや有機物や濁度成分が取り除かれる。ここで、中継配管部６２の除菌器５０に向う経路は、開閉弁６４で遮られているから、浄水器３０で処理しただけの井戸水（飲用水には適さない）は、パイプ部材６６、逆止弁６６ａ、ティー６５および開閉弁８５を通じて、雑用水配管Ｙへ送られ、散水や洗浄水などの雑用用水に供される。
【００５３】
つまり、浄水装置１には雑用用水を利用するための設備があるので、今まで通り、井戸水を用いた散水や洗浄水などができる。しかも、同じ理由から、たとえ新たに雑用用水の設備を施工する場合でも、施工は簡単ですむ。
【００５４】
他方、こうした平時とは異なり、地震など災害が起こり、水道が使用できず、緊急の措置として、井戸水を飲用水として利用するときを説明する（緊急時）。
【００５５】
ここで、浄水装置１の屋外カバー２０は、架台１０に着脱可能に組付いている。
【００５６】
そのため、このときには、まず、屋外カバー２０を架台１０から取外して（アイボルト２４を外す）、開閉弁６４（飲用水用）を「開」、開閉弁８５（雑用水用）を「閉」に切換操作する。ついで、除菌器５０を運転させる。浄水装置１の運転に必要な操作を終えたら、屋外カバー２０を元に戻す。このとき、開閉弁６４（飲用水用）を「開」に切換えるだけで、開閉弁８５（雑用水用）を「開」のままにして、雑用水用は、雑用水配管Ｙの末端のコックなどの弁閉操作にゆだねても構わない。
【００５７】
災害が停電を伴うのであれば、図示しない非常電源（例えばエンジン駆動式発電機）を用いて、井戸ポンプ１や除菌器５０へ給電する。
【００５８】
この後、井戸ポンプ３を運転すれば、水質の悪化が見られる井戸水が飲用水として供される。
【００５９】
すなわち、井戸ポンプ３から汲み上げられた井戸水は、まず、浄水器３０を通過する間に、浄水器３０のろ材（不織布フィルタ３５、活性炭フィルタ３６）により、井戸水に含まれるごみや有機物や濁度成分が取り除かれる。ここで、中継配管部６２の除菌器５０に向う経路は開放し、雑用水配管Ｙに向う経路は遮られているから、浄水器３０を通過した処理水は、パイプ部材６６、逆止弁６６ａ、ティー６５、ティー６３、開閉弁６４、ホース部材６１およびエルボ６０を経て、除菌器５０の注入モジュール５１へ送られる。そして、同注入モジュール５１を処理水が通過する間に、該処理水へ、薬液注入部５９から薬液タンク５２内の薬液が注入される。これにより、処理水に含まれる一般細菌などが殺菌され、処理水の水質が高められる。
【００６０】
続いて、除菌処理を終えた処理水は、ホース部材８２を通じて、マイクロろ過装置７０へ送られる。この最終のマイクロろ過装置７０を通過する間に、同マイクロろ過装置７０のＭＦフィルタ７２にて、処理水に残る微少な色度成分や微少な有機物が取り除かれる。ここまでの処理により、井戸水（水源水）は、飲料に適した水質となる。この水質の井戸水が、給水配管Ｘから、該給水配管Ｘにつながる蛇口（図示しない）へ供給される。
【００６１】
なお、開閉弁８５（雑用水用）が「開」のままの場合、雑用水と飲料水との双方の出水が可能となる（雑用水配管Ｙ末端を弁開操作したとき）。
【００６２】
したがって、パッケージ型浄水装置１は、据付性に優れるだけでなく、井戸２の周辺に浄化装置１を常設しておけば、災害時、直ちに飲料水が確保できる利点もある。特に同浄水装置１には、除菌器５０の二次側にマイクロろ過装置７０を設けた浄化回路１００を用いてあるので、たとえ浄化装置１の運転が停止してマイクロろ過装置７０の内部に長時間、処理水が滞留したとしても、滞留した処理水は除菌処理された水なので、滞留した水が雑菌の影響を受けることはなく、衛生上、優れた出水が約束できる。
【００６３】
しかも、飲料水の供給中は、屋外カバー２０の透視窓１０１から内部を観察するだけで、内部機器の運転状態、特に正常に薬液が注入されているかを容易に確認（点検）することができる。そのうえ、屋外カバー２０は、架台１０の開放した前面、左右両側面、上面を着脱可能に覆う構造を用いているので、例えば薬液の補充（薬液タンク５２）、浄水器３０やマイクロろ過装置３０のフィルタ交換が求められることがあっても（浄水器１のメンテナンス）、屋外カバー２０を取り外しさえすれば、広い作業スペースのもとで、薬液補充作業やフィルタ交換作業ができる。むろん、飲用水と雑用水とに切換える弁操作も容易となる。加えて、架台１０の底壁１６にドレン孔１０２が有ることで、たとえフィルタ交換の際、水が架台１０上にこぼれ落ちることがあっても、該水はドレン孔１０２から外部へ排出されることから、架台１を清潔に保つことができる。
【００６４】
一方、こうした飲料水の供給中、例えば井戸ポンプ２の故障により、井戸水の揚水が期待できなくなったとする。
【００６５】
このときには、まず、屋外カバー２０を架台１０から取外す（アイボルト２４を外す）。すると、手押しポンプ装置９０の操作レバー９４が、同装置９０の全体と共に、架台１０の開放部（正面）から外部に現れる。
【００６６】
その後、人手により、手押しポンプ装置９０の操作レバー９４を上下方向に繰り返しレバー操作すると、手押しポンプ装置９０のポンプ動作により、井戸２から水が揚水されて、パッケージ型浄化装置１の浄化回路１００に導かれる。すると、井戸水は、先に述べたように浄化回路１００を通過する間に、飲用に適した水質に浄化される。
【００６７】
したがって、応急的に必要な水の確保ができる。特に手押しポンプ装置９０は、浄水器３０への逆流を防ぐ逆止弁６６ａをバイパスさせて設けてあるので、当該逆止弁６６ａをそのまま手押しポンプ装置９０を使用するときの流路切替え弁として代替でき、手押しポンプ装置９０を組付けるに求められるコストが安価ですむ。しかも、手押しポンプ装置９０は、収容ケース９の構造によって、ほぼ全体が架台１０の開放部分から外部に露出されるようにしてあるので、支障なく操作が行なえる。むろん、操作がしやすい。
【００６８】
［第２の実施形態］
図８は、本発明の第２の実施形態を示す。
【００６９】
本実施形態は、収容ケース９の架台１０に、例えば電動式の井戸ポンプ１１０（電動式ポンプ）を組付けて、浄化装置１自身に揚水機能を内蔵させたり、収容ケース９の外面、例えば屋外カバー２０の外表面に、太陽光で発電する機能をもつ太陽光パネル１１１を設けて非常電源を確保したり、するという工夫を施したものである。
【００７０】
このようにすると、井戸ポンプ１１０を据付ける作業や非常電源を確保する作業も、不要になるから、一層、容易な施工で、飲用水の確保ができる。
【００７１】
但し、図８において、上述した第１の実施形態と同じ部分には同一符号を付してその説明を省略した。
【００７２】
なお、本発明は上述した実施形態に限定されるものではなく、本発明の主旨を逸脱しない範囲内で種々変更して実施しても構わない。例えば上述の実施形態では、手押しポンプ装置を収容ケース内に設置したが、収容ケース外に設置してもよい。また上述した実施形態では、井戸水を浄化する例を挙げたが、原水は、これに限らず、例えば貯水部に貯水した雨水でもよい。
【図面の簡単な説明】
【００７３】
【図１】本発明の第１の実施形態に係るパッケージ型浄化装置の外観を、同浄化装置が井戸周辺に設置した状態と共に示す斜視図。
【図２】同装置から屋外カバーを取外すときを示す斜視図。
【図３】図２中のＡ−Ａ線に沿う側断面図。
【図４】図１中のＢ−Ｂ線に沿う正断面図。
【図５】図１中のＣ〜線に沿う側断面図。
【図６】図１中のＤ−Ｄ線に沿う平断面図。
【図７】図１中のＥ−Ｅ線に沿う平断面図。
【図８】本発明の第２の実施形態に係るパッケージ型浄化装置を示す斜視図。
【符号の説明】
【００７４】
１…パッケージ型浄化装置、２…井戸（原水）、３，１１０…井戸ポンプ、９…収容ケース、１０…架台、１１…背壁部、１５…底壁部（底部）、２０…屋外カバー、２４…アイボルト（固定手段）、３０…浄水器（プレフィルタ装置）、４０…原水流入口部、５０…除菌器（除菌装置）、６６ａ…逆止弁、６８…操作パネル、７０…マイクロろ過装置（膜式ろ過装置）、７９…処理水出口部、８７…雑用水出口部（中間処理水出口部）、９０…手押しポンプ装置（手動操作ポンプ）、１００…浄化回路、１０１…透視窓（窓部）、１１１…太陽光パネル、Ｕ…浄化ユニット。
【図１】
2007014840.tif 000003
【図２】
2007014840.tif 000004
【図３】
2007014840.tif 000005
【図４】
2007014840.tif 000006
【図５】
2007014840.tif 000007
【図６】
2007014840.tif 000008
【図７】
2007014840.tif 000009
【図８】
2007014840.tif 000010